(57)【要約】【課題】施錠操作性に優れた施錠システムを提供する。【解決手段】浴室扉Ｄを施錠する電気錠１０と、浴室ＢＲ内に設置された人体検出センサ２０と、給湯器３０を操作するための操作手段としての台所用操作リモコン４０と、電気錠１０及び人体検出センサ２０と台所用操作リモコン４０とを、給湯器３０を中継することによって、双方向に通信可能に接続する二芯通信線５１、５２とを備えている。台所用操作リモコン４０は、電気錠１０の操作機能を有しており、台所用操作リモコン４０を利用して、電気錠１０の施錠操作や解錠操作を行うと、コントローラ４１から電気錠１０に施錠信号や解錠信号が送信され、その施錠信号や解錠信号に従って、電気錠１０が施錠動作や解錠動作を行うと共に、その表示部４２には、電気錠１０の施錠に関する種々の情報が表示されるようになっている。【選択図】        図１
2004150144.tif 000002
【特許請求の範囲】
【請求項１】
特定の部屋の扉を施錠する電気錠と、
特定の前記部屋以外に設置された、前記電気錠の操作機能を有する給湯器の操作手段と、
前記電気錠と前記操作手段とを通信可能に接続する通信手段とを備え、
前記操作手段は、前記電気錠に対する操作に応じて、前記電気錠に施錠信号または解錠信号を送信し、
前記電気錠は、前記操作手段から送信された施錠信号または解錠信号に従って、施錠動作または解錠動作を行うようになっていることを特徴とする施錠システム。
【請求項２】
浴室扉を施錠する電気錠と、
浴室以外に設置された、前記電気錠の操作機能を有する給湯器の操作手段と、
前記電気錠と前記操作手段とを通信可能に接続する通信手段とを備え、
前記操作手段は、前記電気錠に対する操作に応じて、前記電気錠に施錠信号または解錠信号を送信し、
前記電気錠は、前記操作手段から送信された施錠信号または解錠信号に従って、施錠動作または解錠動作を行うようになっていることを特徴とする施錠システム。
【請求項３】
前記操作手段は、前記電気錠が施錠状態であるのか、解錠状態であるのかを報知するようになっている請求項２に記載の施錠システム。
【請求項４】
前記浴室扉の開閉状態を検出する扉状態検出センサと、
前記扉状態検出センサと前記操作手段とを通信可能に接続する通信手段とを備え、
前記操作手段は、前記扉状態検出センサから送信される扉状態検出信号に基づいて、前記浴室扉の開閉状態を報知するようになっている請求項２または３に記載の施錠システム。
【請求項５】
前記浴室扉の開閉状態を検出する扉状態検出センサと、
前記扉状態検出センサと前記操作手段とを通信可能に接続する通信手段とを備え、
前記操作手段は、前記扉状態検出センサから送信される扉状態検出信号に基づいて、前記電気錠が施錠動作を行った場合に、前記浴室扉を実際に施錠することができるか否かを判断し、前記電気錠が施錠動作を行っても、前記浴室扉を実際に施錠することができない場合は、前記操作手段がその旨を報知するようになっている請求項２または３に記載の施錠システム。
【請求項６】
浴室内に人がいるか否かを検出する人体検出センサと、
前記人体検出センサと前記操作手段とを通信可能に接続する通信手段とを備え、
前記人体検出センサによって、浴室内に人がいることが検出されると、前記操作手段は、その旨を報知するようになっている請求項２、３、４または５に記載の施錠システム。
【請求項７】
浴室内に人がいるか否かを検出する人体検出センサと、
前記人体検出センサと前記操作手段とを通信可能に接続する通信手段とを備え、
前記人体検出センサによって、浴室内に人がいることが検出されると、前記操作手段は、前記電気錠に施錠信号を送信しないようになっている請求項２、３、４または５に記載の施錠システム。
【発明の詳細な説明】
【０００１】
【発明の属する技術分野】
この発明は、浴室等の特定の部屋における扉の施錠及び解錠を行うための施錠システムに関する。
【０００２】
【従来の技術】
近年、入浴時以外に幼児が一人で浴室内に入り、残り湯のある浴槽内に誤って転落するといった事故が起こるおそれがあり、こういった浴室内で発生する事故を未然に防止することが求められている。
【０００３】
従って、近年のシステムバス等では、脱衣場及び浴室内の双方から操作することができるが、背の低い幼児では操作することができないように、浴室扉のある程度の高さ位置に手動錠が設置されたものがあり、入浴時以外は浴室扉を閉めた状態で脱衣場側から手動錠を施錠することによって、幼児が一人で浴室内に入ることができないようになっている。
【０００４】
【特許文献１】
特開平７−１５２９７５号公報
【０００５】
【発明が解決しようとする課題】
しかしながら、上述したようなシステムバスにおいて、幼児が一人で浴室内に入ることができないように、手動錠を施錠するためには、浴室や脱衣場に用事がなくても、必ず、脱衣場まで行って、浴室扉に設置された手動錠を操作しなければならないので、施錠作業が繁雑となり、ついつい手動錠を施錠し忘れてしまうといった問題がある。
【０００６】
そこで、この発明の課題は、上述した問題点に鑑み、施錠操作性に優れた施錠システムを提供することにある。
【０００７】
【課題を解決するための手段及びその効果】
上記の課題を解決するため、請求項１にかかる発明は、特定の部屋の扉を施錠する電気錠と、特定の前記部屋以外に設置された、前記電気錠の操作機能を有する給湯器の操作手段と、前記電気錠と前記操作手段とを通信可能に接続する通信手段とを備え、前記操作手段は、前記電気錠に対する操作に応じて、前記電気錠に施錠信号または解錠信号を送信し、前記電気錠は、前記操作手段から送信された施錠信号または解錠信号に従って、施錠動作または解錠動作を行うようになっていることを特徴とする施錠システムを提供するものである。
【０００８】
以上のように、この施錠システムでは、台所等に設置されている給湯器の操作手段によって、特定の部屋の扉に設置された電気錠の施錠操作及び解錠操作を行うことができるようになっているので、その部屋の前までいって施錠操作を行う必要がなく、扉の施錠操作性が向上する。
【０００９】
また、上記の課題を解決するため、請求項２にかかる発明は、浴室扉を施錠する電気錠と、浴室以外に設置された、前記電気錠の操作機能を有する給湯器の操作手段と、前記電気錠と前記操作手段とを通信可能に接続する通信手段とを備え、前記操作手段は、前記電気錠に対する操作に応じて、前記電気錠に施錠信号または解錠信号を送信し、前記電気錠は、前記操作手段から送信された施錠信号または解錠信号に従って、施錠動作または解錠動作を行うようになっていることを特徴とする浴室扉の施錠システムを提供するものである。
【００１０】
以上のように、この施錠システムでは、台所等に設置されている給湯器の操作手段によって、浴室扉に設置された電気錠の施錠操作及び解錠操作を行うことができるようになっているので、浴室扉に手動錠が設置されたシステムバス等のように、わざわざ脱衣場までいって施錠操作を行う必要がなく、浴室扉の施錠操作性が向上する。このため、浴室扉を施錠し忘れることが少なくなり、浴室内における幼児の事故の発生数を確実に減らすことができる。
【００１１】
また、請求項３にかかる発明の施錠システムのように、前記操作手段が、前記電気錠が施錠状態であるのか、解錠状態であるのかを報知するようになっているものにあっては、脱衣場までいかなくても、台所等に設置されている給湯器の操作手段によって、浴室扉の施錠状態を即座に把握することができ、しかも、浴室扉を施錠し忘れていることが分かった場合は、その場で、即座に浴室扉を施錠することができるので、使い勝手がよく、浴室内への幼児の侵入を確実に防止することができる。
【００１２】
また、請求項４にかかる発明の施錠システムのように、前記浴室扉の開閉状態を検出する扉状態検出センサと、前記扉状態検出センサと前記操作手段とを通信可能に接続する通信手段とを備え、前記操作手段は、前記扉状態検出センサから送信される扉状態検出信号に基づいて、前記浴室扉の開閉状態を報知するようになっているものにあっては、浴室扉の開閉状態を確認することによって、浴室扉が実際に施錠されているのかどうかを知ることができ、浴室扉の施錠操作を行ったにも拘わらず、浴室扉が実際に施錠されていないような場合は、即座に対応することができるので、浴室内で発生する幼児の事故をさらに確実に防止することができる。
【００１３】
特に、請求項５にかかる発明の施錠システムのように、前記浴室扉の開閉状態を検出する扉状態検出センサと、前記扉状態検出センサと前記操作手段とを通信可能に接続する通信手段とを備え、前記操作手段は、前記扉状態検出センサから送信される扉状態検出信号に基づいて、前記電気錠が施錠動作を行った場合に、前記浴室扉を実際に施錠することができるか否かを判断し、前記電気錠が施錠動作を行っても、前記浴室扉を実際に施錠することができない場合は、前記操作手段がその旨を報知するようにしておくことが望ましい。
【００１４】
また、請求項６にかかる発明の施錠システムのように、浴室内に人がいるか否かを検出する人体検出センサと、前記人体検出センサと前記操作手段とを通信可能に接続する通信手段とを備え、前記人体検出センサによって、浴室内に人がいることが検出されると、前記操作手段は、その旨を報知するようになっているものにあっては、浴室扉を施錠し忘れた場合に、人（幼児等）が浴室内に入っていることを即座に把握することができるので、幼児が一人で浴室内に入っていないかどうかをすぐに確認しにいくことができると共に、浴室内に人がいるか否かによって、浴室扉を施錠してもよいのかどうかを即座に判断することができ、浴室内に人がいるにも拘わらず、浴室扉を施錠してしまうといったことを有効に防止することができる。
【００１５】
特に、請求項７にかかる発明の施錠システムのように、浴室内に人がいるか否かを検出する人体検出センサと、前記人体検出センサと前記操作手段とを通信可能に接続する通信手段とを備え、前記人体検出センサによって、浴室内に人がいることが検出されると、前記操作手段は、前記電気錠に施錠信号を送信しないようにしておくと、浴室内に人がいる状態では、浴室扉が施錠されることがないので、浴室内に人が閉じこめられてしまうといった事態が発生することもない。
【００１６】
【発明の実施の形態】
以下、実施の形態について図面を参照して説明する。図１に示すように、この浴室扉の施錠システム１は、浴室扉Ｄを施錠する電気錠１０と、浴室ＢＲ内に設置された、浴室ＢＲ内にいる人を検出する人体検出センサ２０と、給湯器３０を操作するための操作手段として台所に設置された台所用操作リモコン４０と、電気錠１０及び人体検出センサ２０と台所用操作リモコン４０とを、給湯器３０を中継することによって、双方向に通信可能に接続する二芯通信線５１、５２とを備えている。
【００１７】
前記電気錠１０は、図２に示すように、浴室扉Ｄに設置された金属板１１と、浴室扉Ｄの扉枠ＤＦ等に設置された本体部１２とから構成されており、本体部１２は、通電することによって、浴室扉Ｄに設置された金属板１１を吸引保持する電磁石ユニット１３と、この電磁石ユニット１３に対する通電制御を行うマイクロコンピュータ１４と、このマイクロコンピュータ１４と二芯通信線５１とを接続する二芯線通信ユニット１５と、浴室扉Ｄに設置されたマグネット（永久磁石）１６の磁力を検知するリードスイッチ１７とを備えており、浴室扉Ｄに設置された金属板１１を本体部１２の電磁石ユニット１３が吸引保持することによって浴室扉Ｄが施錠され、電磁石ユニット１３による金属板１１の吸引保持が解除されると、浴室扉Ｄが解錠されるようになっている。
【００１８】
前記電気錠１０の本体部１２に搭載されたリードスイッチ１７は、浴室扉Ｄを閉じることによって、マグネット１６が接近すると、マグネット１６の磁力を検知してマイクロコンピュータ１４にＯＮ信号を出力し、浴室扉Ｄが開くことによって、マグネット１６が離反すると、マグネット１６の磁力を検知することができなくなるので、マイクロコンピュータ１４にＯＦＦ信号を出力するようになっており、このリードスイッチ１７から出力されるＯＮ、ＯＦＦ信号に基づいて、浴室扉Ｄの開閉状態を検出することができるようになっている。
【００１９】
従って、このマグネット１６及びリードスイッチ１７が、本発明における扉状態検出センサに相当し、リードスイッチ１７から出力され、マイクロコンピュータ１４によって台所用操作リモコン４０に送信されるＯＮ、ＯＦＦ信号が本発明における扉状態検出信号に相当する。
【００２０】
前記人体検出センサ２０は、浴室ＢＲ内を撮像するための人工網膜センサや浴室ＢＲへの人の入室を検知する赤外線センサ等によって構成されており、この人体検出センサ２０から出力される人体検出信号は、二芯通信線５１、５２及び給湯器３０を介して、台所用操作リモコン４０に送信されるようになっている。
【００２１】
前記給湯器３０及び台所用操作リモコン４０には、通信手段を構成している前記二芯通信線５２を介して相互に通信可能なコントローラ３１、４１がそれぞれ搭載されており、これらのコントローラ３１、４１が相互に連携をとりながら、給湯器３０の運転動作を統括的に制御している。
【００２２】
前記台所用操作リモコン４０は、給湯設定温度等を設定するための操作部や給湯設定温度等の給湯機関連情報を表示する表示部４２とを備えており、これらの操作部や表示部４２を利用して、電気錠１０の施錠操作及び解錠操作を行うことができるようになっている。
【００２３】
従って、この台所用操作リモコン４０の操作部や表示部４２を利用して、電気錠１０の施錠操作や解錠操作を行うと、そのコントローラ４１から電気錠１０のマイクロコンピュータ１４に施錠信号や解錠信号が送信され、その施錠信号や解錠信号に従って、電気錠１０が施錠動作や解錠動作を行うと共に、台所用操作リモコン４０の表示部４２には、電気錠１０が施錠状態であるのか、解錠状態であるのかが表示されるようになっている。
【００２４】
また、この台所用操作リモコン４０のコントローラ４１は、リードスイッチ１７から出力されるＯＮ、ＯＦＦ信号に基づいて、表示部４２に浴室扉Ｄの開閉状態を表示すると共に、電気錠１０が施錠動作を行った場合に、浴室扉Ｄを実際に施錠することができるか否かを判断し、浴室扉Ｄが開いているため、解錠状態にある電気錠１０が施錠動作を行っても、浴室扉Ｄを実際に施錠することができない場合や、電気錠１０が既に施錠状態にあるが、浴室扉Ｄが実際に施錠されていない場合は、表示部４２にその旨を表示するようになっている。
【００２５】
また、この台所用操作リモコン４０のコントローラ４１は、人体検出センサ２０から出力された人体検出信号に基づいて、浴室ＢＲ内に人がいるかどうかを把握し、浴室ＢＲ内に人がいる場合は、表示部４２にその旨を表示するようになっており、しかも、人体検出センサ２０によって、浴室ＢＲ内に人がいることが検出されると、電気錠１０の施錠操作を行っても、コントローラ４１は電磁錠１０のマイクロコンピュータ１４に施錠信号を送信しないようになっている。
【００２６】
以上のように、この浴室扉の施錠システム１では、台所に設置されている給湯器３０の台所用操作リモコン４０によって、浴室扉Ｄに設置された電気錠１０に対して施錠操作や解錠操作を行うことができるようになっているので、浴室扉に手動錠が設置されたシステムバス等のように、わざわざ脱衣場までいって施錠操作を行う必要がなく、浴室扉Ｄの施錠操作性が向上する。このため、浴室扉Ｄを施錠し忘れることが少なくなり、浴室ＢＲ内における幼児の事故の発生数を確実に減らすことができる。
【００２７】
また、この施錠システム１では、台所用操作リモコン４０の表示部４２に、電気錠１０が施錠状態であるのか、解錠状態であるのかを表示するようになっているので、脱衣場までいかなくても、台所用操作リモコン４０の表示部４２を見ることによって、浴室扉Ｄの施錠状態を即座に把握することができ、しかも、浴室扉Ｄを施錠し忘れていることが分かった場合は、その場で、即座に浴室扉Ｄを施錠することができるので、使い勝手がよく、浴室ＢＲ内への幼児の侵入を確実に防止することができる。
【００２８】
また、この施錠システム１では、浴室扉Ｄの開閉状態が台所用操作リモコン４０の表示部４２に表示されると共に、浴室扉１０が開いているため、解錠状態にある電気錠１０が施錠動作を行っても、浴室扉Ｄを実際に施錠することができない場合や、電気錠１０が既に施錠状態にあるが、浴室扉Ｄが実際に施錠されていない場合は、表示部４２にその旨が表示されるようになっているので、台所用操作リモコン４０の表示部４２を見ることによって、浴室扉Ｄの開閉状態を即座に把握することができるだけでなく、浴室扉Ｄを施錠するためには、浴室扉Ｄを閉めなければならないことを即座に把握することができる。特に、電気錠１０の施錠操作を行ったにも拘わらず、浴室扉Ｄが実際に施錠されていないような場合は、即座に対応することができるので、浴室ＢＲ内で発生する幼児の事故を確実に防止することができる。
【００２９】
また、この施錠システム１では、人体検出センサ２０によって、浴室ＢＲ内に人がいることが検出されると、台所用操作リモコン４０の表示部４２に、その旨が表示されるので、台所用操作リモコン４０の表示部４２を見ることによって、浴室扉Ｄを施錠し忘れた場合に、人（幼児等）が浴室ＢＲ内に入っていることを即座に把握することができ、幼児が一人で浴室ＢＲ内に入っていないかどうかをすぐに確認しにいくことができる。
【００３０】
また、人体検出センサ２０によって、浴室ＢＲ内に人がいることが検出されると、台所用操作リモコン４０のコントローラ４１は、電気錠１０に施錠信号を送信しないようになっているので、浴室ＢＲ内に人がいる状態では、浴室扉Ｄが施錠されることがなく、浴室ＢＲ内に人が閉じこめられてしまうといった事態が発生することもない。
【００３１】
なお、上述した実施形態では、人体検出センサ２０やリードスイッチ１７が設置された施錠システム１について説明したが、これに限定されるものではなく、必要に応じて適宜設置すればよい。
【００３２】
また、上述した実施形態では、台所用操作リモコン４０の表示部４２に浴室扉Ｄの開閉状態が表示されるだけでなく、解錠状態にある電気錠１０が施錠動作を行っても、浴室扉Ｄを実際に施錠することができない場合や、電気錠１０が既に施錠状態にあるが、浴室扉Ｄが実際に施錠されていない場合は、台所用操作リモコン４０の表示部４２にその旨が表示されるようになっているが、これに限定されるものではなく、いずれか一方だけを表示することも可能である。
【００３３】
また、上述した実施形態では、人体検出センサ２０によって、浴室ＢＲ内に人がいることが検出されると、台所用操作リモコン４０の表示部４２に、その旨が表示され、台所用操作リモコン４０のコントローラ４１は、電気錠１０に施錠信号を送信しないようになっているが、これに限定されるものではなく、人体検出センサ２０によって、浴室ＢＲ内に人がいることが検出されると、台所用操作リモコン４０の表示部４２に表示だけを行ったり、表示を行わずに、コントローラ４１による施錠信号の送信を停止することも可能である。
【００３４】
また、上述した実施形態では、浴室扉Ｄの扉枠ＤＦ等に設置された本体部１２が浴室扉Ｄに設置された金属板１１を吸引保持することによって、浴室扉Ｄを施錠する電気錠１０を使用した場合について説明したが、これに限定されるものではなく、電気信号によって施錠及び解錠を遠隔操作することができるものであれば、種々の形態の電気錠を使用することができる。
【００３５】
また、上述した実施形態では、台所用操作リモコン４０によって施錠及び解錠が遠隔操作される電気錠１０を使用した場合について説明したが、これに限定されるものではなく、例えば、電気信号によって遠隔操作できるだけでなく、本体部にも施錠及び解錠を行うことができる操作部が設けられている電気錠を使用すると、台所だけでなく、脱衣場でも電気錠の施錠及び解錠を行うことができるので、さらに、使い勝手が向上する。ただし、その場合は、例えば、電気錠の設置高さを高くすることによって、幼児が電気錠の解錠操作を行うことができないようにしておく必要があることはいうまでもない。
【００３６】
また、上述した実施形態では、台所に設置された台所用操作リモコン４０に、電気錠１０の操作機能を付与すると共に、その表示部４１に、浴室扉Ｄの施錠に関する情報を表示させるようにしているが、これに限定されるものではなく、浴室に設置される浴室用操作リモコン以外に、複数の操作リモコンが設置される場合は、浴室用操作リモコンを除く、いずれか一の操作リモコンに同様の機能を付与すればよく、また、浴室用操作リモコンを除く、全ての操作リモコンに同様の機能を付与することも可能である。
【００３７】
また、上述した実施形態では、浴室扉の施錠システムについて説明したが、これに限定されるものではなく、本発明は、例えば、屋内の倉庫収納部屋、屋根裏収納部屋等のように、扉の外側から施錠する必要がある特定の部屋に対する扉の施錠システムに適用することができることはいうまでもない。
【図面の簡単な説明】
【図１】この発明にかかる施錠システムの一実施形態を示す概略構成図である。
【図２】同上の施錠システムに使用されている電気錠の構成を示すブロック図である。
【符号の説明】
１  施錠システム
１０  電気錠
１１  金属板
１２  本体部
１３  電磁石ユニット
１４  マイクロコンピュータ
１５  二芯線通信ユニット（通信手段）
１６  マグネット（扉状態検出センサ）
１７  リードスイッチ（扉状態検出センサ）
２０  人体検出センサ
３０  給湯器
３１  コントローラ
４０  台所用操作リモコン
４１  コントローラ
４２  表示部
５１、５２  二芯通信線（通信手段）
Ｄ  浴室扉
【図１】
2004150144.tif 000003
【図２】
2004150144.tif 000004